【事件の表示】
　上記当事者間の登録第５２１９０８８号商標の商標登録無効審判事件について、次のとおり審決する。
【結　論】
　本件審判の請求は、成り立たない。
　審判費用は、請求人の負担とする。
【理　由】
第１　本件商標
　本件登録第５２１９０８８号商標（以下「本件商標」という。）は、別掲（Ａ）のとおりの構成からなり、平成２０年７月２５日に登録出願、第１６類「接着性を有する付箋，低粘着剤付き付箋，粘着剤付き付箋，事務用又は家庭用ののり及び接着剤，紙製包装用容器，荷札，紙類，文房具類，学用品（文房具に当たるものに限る。），印刷物」を指定商品として、同２１年２月６日に登録査定、同年４月３日に設定登録されたものである。
　
第２　引用商標
　請求人が引用する登録商標は、次の１ないし３に掲げるとおりである。
１　登録第２０８１５０４号商標（以下「引用商標１」という。）は、「ＰＯＳＴ−ＩＴ」の文字を横書きしてなり、昭和５４年１０月１５日に登録出願、第２５類「接着テ−プ、その他の文房具類、その他本類に属する商品」を指定商品として、同６３年９月３０日に設定登録され、その後、平成１０年５月１２日及び同２０年９月９日の２回にわたり、商標権の存続期間の更新登録がなされ、指定商品については、同年１０月８日に第１６類「文房具類，紙類」とする指定商品の書換登録がされたものである。
２　登録第３３３８５５４号商標（以下「引用商標２」という。）は、別掲（Ｂ）のとおりの構成からなり、平成７年５月２５日に登録出願、第１６類「紙類，紙製包装用容器，家庭用食品包装フィルム，紙製ごみ収集用袋，プラスチック製ごみ収集用袋，衛生手ふき，型紙，紙製テーブルクロス，紙製タオル，紙製手ふき，紙製のぼり，紙製旗，紙製ハンカチ，紙製ブラインド，紙製幼児用おしめ，裁縫用チャコ，荷札，印刷物，書画，写真，写真立て，遊戯用カード，文房具類，事務用又は家庭用ののり及び接着剤，青写真複写機，あて名印刷機，印刷用インテル，印字用インクリボン，活字，こんにゃく版複写機，自動印紙はり付け機，事務用電動式ホッチキス，事務用封かん機，消印機，製図用具，装飾塗工用ブラシ，タイプライター，チェックライター，謄写版，凸版複写機，文書細断機，封ろう，マーキング用孔開型板，郵便料金計器，輪転謄写機，観賞魚用水槽及びその附属品」を指定商品として、同９年８月８日に設定登録され、その後、同１９年２月２７日に商標権の存続期間の更新登録がなされたものである。
３　登録第４５０５２７１号商標（以下「引用商標３」という。）は、別掲（Ｃ）のとおりの構成からなり、平成１２年１１月１３日に登録出願、第１６類「紙類，紙製包装用容器，家庭用食品包装フィルム，紙製ごみ収集用袋，プラスチック製ごみ収集用袋，衛生手ふき，型紙，紙製タオル，紙製テーブルクロス，紙製テーブルナプキン，紙製手ふき，紙製のぼり，紙製旗，紙製ハンカチ，紙製ブラインド，紙製幼児用おしめ，裁縫用チャコ，荷札，印刷物，書画，写真，写真立て，遊戯用カード，文房具類，事務用又は家庭用ののり及び接着剤，青写真複写機，あて名印刷機，印刷用インテル，印字用インクリボン，活字，こんにゃく版複写機，自動印紙はり付け機，事務用電動式ホッチキス，事務用封かん機，消印機，製図用具，装飾塗工用ブラシ，タイプライター，チェックライター，謄写版，凸版複写機，文書細断機，封ろう，マーキング用孔開型板，郵便料金計器，輪転謄写機，観賞魚用水槽及びその附属品」を指定商品として、同１３年９月７日に設定登録されたものである。
　上記引用商標１ないし３は、いずれも現に有効に存続しているものであり、以下、これらを総称するときは単に「引用商標」という。
　
第３　請求人の主張の要点
　請求人は、本件商標の登録を無効とする、審判費用は被請求人の負担とする、との審決を求め、その理由を要旨以下のように述べ、証拠方法として甲第１号証ないし甲第１０号証を提出している。
１　商標法第４条第１項第１１号違反
（１）本件商標と引用商標は、その後半部分が英語の代名詞である「ＩＴ」とハイフンとからなる点で共通しているほか、その前半部分が共にローマ字４文字からなり、称呼における音も共に３音からなる。
　また、本件商標の「ＳＩＴＥ」は、「場所、会場、位置させる」を意味する語であり(甲第５号証)、引用商標の「ＰＯＳＴ」は「持ち場、受け持ち地域、配置する」を意味する語である(甲第６号証)。したがって、両者はその意味合いを共通にしている。
　このように、本件商標と引用商標とは共通点が多いものである。特に、「−ＩＴ」なる構成は商標においては余り例のないものであり、引用商標の特長ともなっており、この点を共通にしている本件商標は、引用商標と共通している度合いが高いといえる。
　これらの事情にかんがみれば、本件商標がその指定商品に使用された場合には、引用商標との関係で商品の出所の混同を生じるものといえる。したがって、本件商標は引用商標に類似するといえる。
（２）加えて、引用商標は本件商標の指定商品である「接着性を有する付箋、低粘着剤付き付箋、粘着剤付き付箋」の商標としては当該商品の代名詞となる程極めて著名なものである。引用商標の著名性は特許庁においても顕著な事実であると思われる。
　参考までに、請求人は「ＰＯＳＴ−ＩＴ(ポストイット)」について言及したフリー百科事典「ウィキペディア(Ｗｉｋｉｐｅｄｉａ)」の打ち出し(甲第７号証)及び英和商品名辞典(甲第８号証)を提出する。この「ウィキベディア(Ｗｉｋｉｐｅｄｉａ)」の中では「ＰＯＳＴ−ＩＴ(ポストイット)」が付箋の代表となっている旨並びに１９８０年以降「ＰＯＳＴ−ＩＴ(ポストイット)」という商品名で世界中に広まり現在では１００力国以上で販売されている旨の記述があり、このことから、引用商標が著名であることは明らかである。
　また、「ＰＯＳＴ−ＩＴ　３Ｍ」をキーワードにインターネットを検索したところ、６６６，０００件のホームページがヒットした(甲第９号証)。この数は請求人の「ＰＯＳＴ−ＩＴ」が著名であるのに十二分すぎるものであることは明らかである。無論インターネットの検索結果は現在のものであるが、上述した「１９８０年以降『ＰＯＳＴ−ＩＴ(ポストイット)』という商品名で世界中に広まり」という記述から、本件商標の出願後に急激に「請求人のＰＯＳＴ−ＩＴ」に関するホームページの数が増えたとは考え難い。むしろ、本件商標の出願前でも同じような数のホームページがヒットしたであろうことは、経験則上容易に推測できる。したがって、現時点で「ＰＯＳＴ−ＩＴ　３Ｍ」をキーワードにインターネットを検索した結果出てきた数は本件商標の出願前の引用商標の著名性を立証できるものである。
（３）商標に基づき商品を選択する際には、需要者はその頭の中に記憶された商標に多分に影響されるものである。常に、需要者は値段に変わりがなければ著名商標の商品を購入したいと希望しているものである。そのため、普通であれば間違わない商標であっても著名商標と共通する点が見出せるものは、著名商標であると誤認混同されるものである。
　現実の取引において、引用商標「ＰＯＳＴ−ＩＴ(ポストイット)」を付した「接着性を有する付箋、低粘着剤付き付箋、粘着剤付き付箋」を購入したいと希望している需要者が、当該商品に使用された、引用商標の特長を備えかつ同じ文字数及び音数の本件商標に接した場合には、この「ＰＯＳＴ−ＩＴ(ポストイット)」が先入観念として強く働く結果、これに引きずられて本件商標を引用商標であると誤認混同することは必定である。
　引用商標の著名性の故に、現実の取引において、本件商標が引用商標と誤認混同するおそれがある以上、本件商標は引用商標に類似するものとなる。
（４）以上詳述したことから明らかなように、本件商標は商標法第４条第１項第１１号の規定に違反して登録されたものである。
２　商標法第４条第１項第１０号及び同第１５号違反
　本件商標の登録出願日（２００８年７月２５日）前より、引用商標は「接着性を有する付箋、低粘着剤付き付箋、粘着剤付き付箋」について著名なものであった。このことも特許庁においては顕著な事実であると思われる。
　したがって、本件商標は、商標法第４条第１項第１０号の規定にも違反して登録されたものである。
　さらに、引用商標は「接着性を有する付箋、低粘着剤付き付箋、粘着剤付き付箋」について著名なものであったことから、本件商標は、同法第４条第１項第１５号の規定にも違反して登録されたものである。
３　商標法第４条第１項第１９号違反
　本件商標は、引用商標の「ＰＯＳＴ」を同じ字数音数でかつ意味合いにおいて共通している「ＳＩＴＥ」に置き換えたものにすぎない。この点で、本件商標は引用商標の顧客吸引力にただ乗りする意図、すなわち不正の目的をもって採択されたものといわざるを得ない。
　したがって、本件商標は、商標法第４条第１項第１９号の規定にも違反して登録されたものである。
４　商標法第４条第１項第７号違反
　商標は採択行為であったとしても、商道徳に反して商標を採択されることは許されるものではない。上述したように、本件商標は明らかに、多大なる企業努力により著名なものとし、大いなる顧客吸引力を有する財産的価値あるものとなった引用商標にただ乗りし不正に利益を得ることを意図して採択されたものであって、商道徳に反するものであるといわざるを得ない。
　現に、本件商標と社会通念上同一のものと認められる商標が、引用商標が使用されてきた「接着性を有する付箋、低粘着剤付き付箋、粘着剤付き付箋」に被請求人によって使用されている(甲第１０号証)。「接着性を有する付箋、低粘着剤付き付箋、粘着剤付き付箋」に使用される商標として、敢えて著名商標と多くの点で共通性を有するものを採択したことは、この著名商標の顧客吸引力を利用して不当に利益を得る意図に基づいたものであることは明々白々である。
　商標法第４条第１項第７号の「公の秩序」には、取引の秩序を維持する商標法の趣旨からして商道徳も含まれると解すべきである。
　したがって、商道徳に反して採択登録された本件商標は、同法第４条第１項第７号の規定に違反して登録されたものであるといえる。
５　まとめ
　以上のとおり、本件商標は、商標法第４条第１項第１１号、同第１０号、同第１５号、同第１９号及び同第７号の規定に違反して登録されたものであり、その登録は同法第４６条第１号によって無効とされるべきである。
　
第４　被請求人の答弁
　被請求人は、何ら答弁していない。
　
第５　当審の判断
１　引用商標の周知著名性について
　請求人の提出に係る証拠（甲第７号証ないし甲第９号証）によれば、請求人は最初の糊付き付箋製品といわれる「ポスト・イット（Ｐｏｓｔ−ｉｔ）」を開発し、１９７７年に試作品が完成、１９８０年には全米で発売されたこと、それ以降、同製品は世界中に広まり、２０１０年２月には１００カ国以上で販売されていること、同製品は、低粘着性の付箋紙であって、下地の紙を傷めず何回も貼ったりはがしたりすることが可能なことを特徴とするが、より強い接着面を持つものや、色彩や大きさの異なるものなど、さまざまなバリエーションのものが販売されており、いずれにも引用商標と社会通念上同一の商標が使用されていること、などが認められる。
　以上からすれば、引用商標は、本件商標の登録出願時及び登録査定時には既に、請求人の業務に係る商品「接着性を有する付箋、低粘着剤付き付箋、粘着剤付き付箋」を表示する商標として、この種商品の取引者、需要者の間に広く認識されていたものというべきである。
２　本件商標と引用商標との類否について
（１）本件商標は、別掲（Ａ）のとおり、図形と文字との組合せからなるところ、該図形は親しまれた既成の観念を有する事物・事象を表したものとは認められず、また、該図形と文字とが常に不可分一体にのみ認識し把握されるべき格別の理由を見出し難いことから、読み易い「ＳＩＴＥ−ＩＴ！」の文字部分を捉え、これより生ずると認められる「サイトイット」の称呼をもって取引に資されるものというべきである。そうすると、本件商標は、「サイトイット」の称呼を生ずるとみるのが自然である。
（２）他方、引用商標１は、「ＰＯＳＴ−ＩＴ」の文字のみからなるものであって、該構成文字に相応して「ポストイット」の称呼を生ずるものである。また、引用商標２及び３は、別掲（Ｂ）及び（Ｃ）のとおり、文字と図形の組合せからなるところ、本件商標と同様、該図形は親しまれた既成の観念を有する事物・事象を表したものとは認められず、また、該図形と文字とが常に不可分一体にのみ認識し把握されるべき格別の理由を見出し難いことから、読み易い「Ｐｏｓｔ−ｉｔ」の文字部分を捉え、これより生ずると認められる「ポストイット」の称呼をもって取引に資されるものというべきである。そうすると、引用商標は、いずれも「ポストイット」の称呼を生ずるとみるのが自然である。
（３）そこで、本件商標から生ずる「サイトイット」の称呼と引用商標から生ずる「ポストイット」の称呼とを対比すると、両者は、称呼の識別上重要な要素を占める語頭音を含む前半部分において「サイト」と「ポスト」とで相違しており、しかも相違する「サ」（ｓａ）及び「イ」（ｉ）の音と「ポ」（ｐｏ）及び「ス」（ｓｕ）の音とは、それぞれ子音及び母音を異にする異質の音であるうえ、「ＳＩＴＥ」の語が「敷地、用地、サイト、ホームページ◆ＷＷＷなどで情報が置かれている場所」等を意味する英語（甲第５号証）として、「ＰＯＳＴ」又は「Ｐｏｓｔ」の語が「郵便、郵便ポスト」を意味する英語（甲第６号証）として、いずれも広く親しまれていることから、上記「サイト」及び「ポスト」の音からこれらの語を連想、想起することが少なくないこととも相俟って、これらの差異が全体に及ぼす影響は大きく、それぞれを一連に称呼するときは、全体の音感、音調が異なり、明瞭に区別することができるものである。
（４）そして、本件商標と引用商標とは、上記のそれぞれの構成に照らし、外観上判然と区別し得る差異を有するものであり、また、いずれも全体として親しまれた既成の観念を有する成語又は図形を表したものとは認められないことから、観念上、両者を比較すべくもない。なお付言するに、両商標の構成中の「ＳＩＴＥ」の文字と「ＰＯＳＴ」（Ｐｏｓｔ）の文字とが、上記のとおり、それぞれ別異の意味を有する語として親しまれていることを考慮すれば、両商標は、より一層区別できるものである。
（５）以上からすれば、本件商標と引用商標とは、称呼、外観及び観念のいずれの点からみても相紛れるおそれのない非類似の商標といわなければならない。　
３　本件商標の商標法第４条第１項第１０号及び第１１号該当性について
　前記２のとおり、本件商標と引用商標とは類似するものではないから、両商標の指定商品が類似するものであるとしても、また、引用商標が請求人の業務に係る商品を表示する商標として需要者の間に広く認識されているとしても、本件商標は、商標法第４条第１項第１０号及び第１１号に該当するものではない。
４　本件商標の商標法第４条第１項第１５号該当性について
　本件商標は、前示のとおり、引用商標とは相紛れるおそれのない非類似の商標であって、別異のものというべきものであり、他に両者間に混同を生ずるとみるべき格別の理由も見出し得ない。そして、上記引用商標の周知著名性を考慮したとしても、本件商標をその指定商品に使用した場合に、これに接する取引者、需要者が引用商標を連想、想起するようなことはないというべきであり、該商品が請求人又は請求人と経済的、組織的に何らかの関係を有する者の業務に係る商品であるかの如く、その出所について混同を生ずるおそれはないものと判断するのが相当である。
　したがって、本件商標は、商標法第４条第１項第１５号に該当するものではない。
５　本件商標の商標法第４条第１項第１９号該当性について
　前記２のとおり、本件商標と引用商標とは類似するものでないから、引用商標が周知著名であるとしても、本件商標は、商標法第４条第１項第１９号に該当するものではない。
　なお、請求人は、本件商標は引用商標の「ＰＯＳＴ」を「ＳＩＴＥ」に置き換えたものにすぎず、不正の目的をもって採択されたものである旨主張しているが、本件商標は、その構成に照らし、引用商標とは類似するところのない別異の商標であり、引用商標を剽窃等したものであるとはいえないばかりでなく、他に不正の目的をもって採択したものであるとすべき具体的な主張、立証もされていないところであるから、請求人の主張は採用することができない。
６　本件商標の商標法第４条第１項第７号該当性について
　本件商標は、別掲（Ａ）のとおり、その構成自体がきょう激、卑わい、差別的若しくは他人に不快な印象を与えるような標章からなるものではないし、他の法律によってその使用が禁止されているものでもない。
　また、前示のとおり、本件商標は、引用商標とは類似するところのない別異の商標であり、引用商標を剽窃等したものであるとはいえず、他に不正の目的をもって採択し出願したものであるとすべき事情等も認められないから、その出願経緯において社会的妥当性を欠くものがあったものともいえない。
　その他、本件商標の採択・登録が、商道徳に反し公正な取引秩序を乱すおそれがあるとすべき理由や、国際信義に反するとすべき理由等も見出すことができない。
　したがって、本件商標は、公の秩序又は善良の風俗を害するおそれがある商標とはいえないから、商標法第４条第１項第７号に該当するものではない。
７　むすび
　以上のとおり、本件商標は、商標法第４条第１項第７号、同第１０号、同第１１号、同第１５号及び同第１９号のいずれの規定にも違反して登録されたものではないから、同法第４６条第１項の規定に基づき、その登録を無効にすべき限りでない。
　よって、結論のとおり審決する。